(57)【特許請求の範囲】
【請求項１】
頂部折り目線とその両側の谷部折り目線とで大仕切り用山部を形成する贈答箱用台紙において、前記谷部折り目線に沿って適宜箇所に間隔を開け、複数の略長方形の仕切り板と谷部折り目線で連設する、二つの山をもつ鋸刃辺で形成する舌片を設け、前記仕切り板はその上辺と舌片と対向する辺が切り込みでなり、底辺が折り目線でなり、前記舌片を形成する二つの山をもつ鋸刃辺の前記上辺側の山の稜線が折り目線で、仕切り板の底辺側の山の稜線が切り込みでなり、前記頂部折り目線と谷部折り目線にしたがって大仕切り用山部を形成してなることを特徴とする贈答箱用仕切。
【請求項２】
前記仕切り板の上辺の略中央上部の台紙に半円形孔を穿設してなることを特徴とする請求項１記載の贈答箱用仕切。
【請求項３】
前記贈答箱用台紙が、板紙でなることを特徴とする請求項１または２記載の贈答箱用仕切。
【発明の詳細な説明】
【０００１】
【発明の属する技術分野】
本発明は、石鹸等固形物商品を体裁よく並べ、動かないように係止したり仕切ったりする贈答箱用の仕切りに関するものである。
【０００２】
【従来の技術】
従来の贈答箱用の仕切りは、厚紙等でできた帯状の枠体を井桁に組んだものや、一枚の紙を多数の折り目をつけ山部を作ったものが知られ、これら各区画に石鹸、菓子等商品を入れていた。また厚紙等台紙でなる中底を設け、この中底に商品の大きさに適合した多数の孔を設け、その孔に商品を入れたものなどがあった。
【０００３】
しかしながら、上記のような中仕切りは、贈答箱用としては見栄えがせず、また、井桁を組んだものや中底に孔を設けたものは、商品の大きさごとに中仕切りを用意する必要があった。
【０００４】
そこで上記問題点を解決するものとして、例えば、図５に示すように、頂部折り目線（３２）とその両側の谷部折り目線（３４）とで大仕切り用山部（３０）を形成する贈答箱用台紙（２）に、前記谷部折り目線（３４）に沿って適宜箇所に間隔を開け、複数の略長方形の仕切り板（１０）と谷部折り目線（３４）で連設する、三角山形の舌片（２０）を設け、前記仕切り板（１０）の上辺（１２）と舌片（２０）と対向する辺（１６）が切り込みで、底辺（１４）が折り目線でなり、前記舌片（２０）を形成する三角山形の前記上辺（１２）側の山の稜線（２２）が折り目線で、底辺（１４）側の稜線（２４）が切り込みでなり、前記頂部折り目線（３２）、谷部折り目線（３４）に従って大仕切り用山部（３０）を形成したもの、あるいは図６に示すように、舌片（２０）の両稜線（２２，２４）が切り込みでなるものがあった。
【０００５】
【発明が解決しようとする課題】
しかしながら、図５に示す上記一方の稜線（２２）が折り目線でなる舌片（２０）を設けた仕切りを贈答箱にセットする際、図８に示すように、仕切り板（１０）を立ち上げながら、舌片（２０）の切り込みされた稜線（２４）を無理に切り欠き部（４２）を越えるようにしなければならず、非常に手間がかかりセットしにくいものであった。
【０００６】
また、図６に示す両稜線（２２，２４）が切り込みでなる舌片（２０）を設けた仕切りを贈答箱にセットする際では、予め舌片（２０）と仕切り板（１０）を立ち上げた状態で大仕切り用山部（３０）を作り贈答箱にセットするとやはり無理に切り欠き部（４２）を越えるようにしなければならず手間のかかるものであり、大仕切り用山部（３０）を作ってセットした後、仕切り板（１０）を立ち上げるには、仕切り板（１０）を立ち上げながら舌片（２０）を手前に引出しながらセットしなければならないと言う煩わしさがあった。さらに舌片（２０）が大仕切り用山部（３０）より切り離されているので、仕切り板（１０）の安定性に欠けるものであった。
【０００７】
本発明は、かかる従来技術の問題点を解決するものであり、その課題とするところは、石鹸等固体物商品を収納する贈答箱用の仕切りが、見栄えのあるもので、箱体にセットした後でも容易にワンタッチで仕切り板を立ち上げることができる贈答箱用仕切を提供することにある。
【０００８】
【課題を解決するための手段】
本発明に於いて上記課題を達成するために、まず請求項１の発明では、頂部折り目線とその両側の谷部折り目線とで大仕切り用山部を形成する贈答箱用台紙において、前記谷部折り目線に沿って適宜箇所に間隔を開け、複数の略長方形の仕切り板と谷部折り目線で連設する、二つの山をもつ鋸刃辺で形成する舌片を設け、前記仕切り板はその上辺と舌片と対向する辺が切り込みでなり、底辺が折り目線でなり、前記舌片を形成する二つの山をもつ鋸刃辺の前記仕切り板の上辺側の山の稜線が折り目線で、底辺側の山の稜線が切り込みでなり、前記頂部折り目線と谷部折り目線に従って大仕切り用山部を形成してなることを特徴とする贈答箱用仕切としたものである。
【０００９】
また、請求項２の発明では、前記仕切り板の上辺の略中央上部の台紙に半円形孔を穿設してなることを特徴とする請求項１記載の贈答箱用仕切としたものである。
【００１０】
また、請求項３の発明では、前記贈答箱用台紙が板紙でなることを特徴とする請求項１または２記載の贈答箱用仕切としたものである。
【００１１】
【発明の実施の形態】
以下本発明の実施の形態を図面を用いて詳細に説明する。図１は、本発明の贈答箱用仕切の一部を示すもので、その図に示すように、頂部折り目線（３２）とその両側に谷部折り目線（３４）を設けて大仕切り用山部（３０）を形成する贈答箱用台紙（２）において、その谷部折り目線（３４）に沿って適宜箇所に間隔を開け、複数の略長方形の仕切り板（１０）を設け、その谷部折り目線（３４）を介して連設するように、二つの山でなる鋸刃辺（２６）で形成する舌片（２０）を山部（３０）に設けたもので、前記仕切り板（１０）はその上辺（１２）と、舌片（２０）と対向する辺（１６）が切り込みでなり、底辺（１４）が折り目線でなるものであり、前記舌片（２０）を形成する二つの山をもつ鋸刃辺（２６）の前記上辺（１２）側の山の稜線（２２）が折り目線でなり、底辺（１４）側の山の稜線（２４）が切り込みでなる贈答箱用仕切のブランクを、図２に示すように、前記頂部折り目線（３２）と谷部折り目線（３４）に従って大仕切り用山部（３０）を形成してなるものである。
【００１２】
また、図２に示すように、前記仕切り板（１０）の上辺（１２）の略中央上部の台紙（２）に半円形孔（４０）を穿設してなる贈答箱用仕切（１）である。
【００１３】
以上のような見栄えのする構成の贈答箱用仕切を贈答箱にセットするに際し、図２に示すように、贈答箱用の台紙（２）に設けた頂部折り目線（３２）と谷部折り目線（３４）とを折り曲げ大仕切り用山部（３０）を形成して、贈答箱の箱体（図示せず）にセットし、図３に示すように、指で仕切り板（１０）を手前（図３の図面では向こう側）に引き上げるように立ち上げるもので、この時、折り目線でなる舌片（２０）の山の稜線（２４）が反転し、その反発力で容易にワンタッチで仕切り板（１０）の立ち上げを可能にしたものである。
【００１４】
また、台紙に半円形孔（４０）を穿設することによって、その半円形孔（４０）に指を差し込み、仕切り板（１０）を容易に引き上げることができるので、より容易に仕切り板（１０）の立ち上げを可能にしたものである。よって、固形物商品の贈答箱へのセットもし易く作業性の向上に貢献するものである。
【００１５】
本発明のポイントでもある舌片（２０）の形状について、さらに詳しく説明すると、まず、図４に示すように、舌片（２０）を形成する鋸刃辺（２６）の山の高さ（Ｈ）はあまり高くない方が好ましく、仕切り板（１０）の幅（Ｗ）の３割程度であれば十分である。この山の高さ（Ｈ）が大きい程仕切り板（１０）の立ち上げ角度が大きくなるが、仕切り板（１０）の幅（Ｗ）の３割程度の高さであれば仕切り板（１０）で十分に固形物商品を係止することが可能であり、この山の高さ（Ｈ）が高すぎると舌片（２０）の立ち上げ反転が容易でなくなる恐れがあるからである。また、折り目線でなる山の稜線（２２）の延長線が切り込みでなる稜線（２４）と交差する点（Ｐ）が、ほぼ舌片（２０）の端（仕切り板（１０）の底辺（１４）と交差する点）にくるように設けると、より仕切り板（１０）の立ち上げ反転をスムースにするものである。
【００１６】
本発明の贈答箱用仕切の台紙（２）として、坪量１００ｇ／ｍ2 〜５００ｇ／ｍ2 の板紙が使用され、具体的には例えば、コートボール、ノーコートボール、コートマニラ、ノーコートマニラ、コートアイボリー、ノーコートアイボリーなどが挙げられ、特に表面が白い見栄えのするものがより好適に使用されるものである。
【００１７】
【発明の効果】
本発明は以上の構成であるから、下記に示す如き効果がある。即ち、頂部折り目線とその両側に谷部折り目線を設けて大仕切り用山部を形成する贈答箱用仕切台紙において、その谷部折り目線に沿って適宜箇所に間隔を開け、複数の略長方形の仕切り板を設け、その谷部折り目線を介して連設するように、二つの山でなる鋸刃辺で形成する舌片を山部に設け、前記仕切り板はその上辺と、舌片と対向する辺が切り込みでなり、底辺が折り目線でなり、前記舌片を形成する二つの山をもつ鋸刃辺の前記仕切り板の上辺側の山の稜線が折り目線でなり、底辺側の山の稜線が切り込みでなる贈答箱用仕切のブランクを、前記頂部折り目線と谷部折り目線に従って大仕切り用山部を形成してなる贈答箱用仕切としたので、贈答箱の箱体にセットに際し、指で仕切り板を手前に引き上げるように立ち上げるもので、この時、折り目線でなる舌片の山の稜線が反転し、その反発力で容易にワンタッチで仕切り板の立ち上げを可能にしたものである。
【００１８】
また、台紙に半円形孔を穿設することによって、その半円形孔に指を差し込み、仕切り板を容易に引き上げることができるので、より容易に仕切り板の立ち上げを可能にしたものである。よって、固形物商品の贈答箱へのセットもし易く作業性の向上に貢献する見栄えのする贈答箱用仕切とすることができる。
【００１９】
従って本発明は、石鹸等固形物商品を収納する贈答箱用の見栄えのする仕切りとして、優れた実用上の効果を発揮する。
【図面の簡単な説明】
【図１】本発明の一実施の形態を示す贈答箱用仕切の展開図である。
【図２】本発明の贈答箱用仕切の一実施の形態を説明する斜視図である。
【図３】本発明の贈答箱用仕切を構成する仕切り板を立ち上げた一実施の形態を説明する斜視図である。
【図４】本発明の贈答箱用仕切を構成する舌片の形状の一実施の形態を説明する平面図である。
【図５】従来の中仕切の一例を説明する展開図である。
【図６】従来の中仕切の一例を説明する斜視図である。
【図７】従来の中仕切の他の一例を説明する斜視図である。
【図８】従来の中仕切り板を構成する仕切り板を立ち上げた一実施の形態を説明する斜視図である。
【符号の説明】
１‥‥贈答箱用仕切
２‥‥贈答箱用台紙
１０‥‥仕切り板
１２‥‥仕切り板の上辺
１４‥‥仕切り板の底辺
１６‥‥舌片と対向する辺
２０‥‥舌片
２２‥‥上辺側の山の稜線
２４‥‥底辺側の山の稜線
２６‥‥鋸刃辺
３０‥‥大仕切り用山部
３２‥‥頂部折り目線
３４‥‥谷部折り目線
４０‥‥半円形状孔
４２‥‥切り欠き部
Ｈ‥‥鋸刃辺の山の高さ
Ｗ‥‥仕切り板の幅
Ｐ‥‥上辺側の山の稜線の延長線と底辺側の山の稜線との交点
【図１】
0004186288.tif 000002
【図２】
0004186288.tif 000003
【図３】
0004186288.tif 000004
【図４】
0004186288.tif 000005
【図５】
0004186288.tif 000006
【図６】
0004186288.tif 000007
【図７】
0004186288.tif 000008
【図８】
0004186288.tif 000009